(57)【要約】【課題】複数のコネクタ形状のケーブルが混在した場合にケーブルとコネクタの組み合わせの識別が困難となり、全てのケーブルを取り出して１本ずつ両端のコネクタ形状を確認する手間が掛かり、間違ったケーブルを選択する可能性が高まる。【解決手段】複数のコネクタ形状が混在するケーブルを整理して掛けるための保持器具であって、複数のコネクタの首部を引っ掛けて保持するための複数の歯を有する櫛状部１と、同保持器具をパイプや壁にぶら下げて保持するためのハンガー部２と、前記櫛状部１の歯を真上や斜め上向きに保持して前記フック部２と接続するための台座部３から構成されるケーブル保持器具。【選択図】図１
2020150782.tif 000002
【特許請求の範囲】
【請求項１】
複数のケーブルを整理して掛けるための保持器具であって、複数のコネクタの首部を引っ掛けて保持するための複数の歯を有する櫛状部１と、前記保持器具をパイプや壁などに掛けて保持するためのハンガー部２と、櫛状部１を斜め上向きに保持して前記ハンガー部２と接続するための台座部３を有するケーブル保持器具。
【請求項２】
前記櫛状部１はＵＳＢケーブルのコネクタを引っ掛けるように構成され、それぞれの歯間の空隙は２ミリメートルから４ミリメートルである請求項１の保持器具。
【請求項３】
前記櫛状部１はＵＳＢケーブルのコネクタを引っ掛けるように構成され、櫛状の歯を４５度の斜め上向きとし、それぞれの２つの歯間の１つの空隙で複数本のケーブルを保持するように構成した請求項１の保持器具。
【請求項４】
前記櫛状部１はＵＳＢケーブルのコネクタを引っ掛けるように構成され、コネクタを把持するための突起と曲線で構成される歯を有する請求項１の保持器具。
【請求項５】
前記ハンガー部２はフックであり、フックの向きを変えられるように首を回転する機構を有する請求項１の保持器具。
【請求項６】
前記ハンガー部２は板状で壁などにネジやピン等で前記保持器具を固定するための穴を有する請求項１の保持器具。
【請求項７】
前記櫛状部１は異なるケーブル径のケーブルコネクタを引っ掛けるように構成され、それぞれの歯間の空隙は異なる距離で構成される請求項１の保持器具。
【発明の詳細な説明】
【技術分野】
【０００１】本発明は、ＵＳＢケーブルなど複数のコネクタ形状が存在するケーブルを整理して保持するための保持器具に関するものである。
【背景技術】
【０００２】ＵＳＢケーブルはタイプＡ，タイプＢ、タイプＣ、ｍｉｎｉ、ｍｉｃｒｏ、ｌｉｇｈｔｉｎｇ  など複数の規格が存在し、ケーブルの片端はタイプＡでパソコン等に接続するものが多い。複数のケーブルがある場合タイプＡのコネクタを見つけても他端が何なのか判らず、結局全てのケーブルを取り出して１本ずつ確認する等の手間が掛かる。また、この際他のケーブルが棚やフック等から落下するなど、適切なケーブルを見つけるまでに多大な労力と無駄が発生する。または１本ずつ輪状に括って保管し、使用後は再度輪状に括りなおす等の手間を掛ける必要がある。
【発明の概要】
【発明が解決しようとする課題】
【０００３】複数のコネクタ形状のケーブルが混在した場合にケーブル同士の識別が困難となり、全てのケーブルを取り出して１本ずつコネクタ形状を確認しなくてはならないと手間が掛かり、必要としていない間違ったケーブルを選択する可能性が高まる。
【課題を解決するための手段】
【０００４】複数のコネクタ形状が混在するケーブルを整理して壁やパイプ等に掛けるため、複数のコネクタの首部を引っ掛けるための斜め上向きに保持された複数の歯を有する櫛状部を有し、ハンガーにより壁や棚等に掛けることができるケーブル保持器具を提供する。
【発明の効果】
【０００５】ＵＳＢケーブルなど複数のコネクタ形状が存在するケーブルを整理して棚や壁等に掛けて保管することができる。コネクタが斜め上向きの歯で固定されるため、複数のコネクタ形状があっても識別が容易となり、ケーブル選択の手間が省け、誤ったコネクタを選択する可能性が低くなる。また、斜め上向きの歯でコネクタを固定するため複数本のケーブルを重ねて保持しても容易にケーブルが外れない。
【図面の簡単な説明】
【０００６】
【図１】本器具を真横から見た図である。（掛ける壁やパイプに対して真横）
【図２】本器具を正面（掛ける壁やパイプに対して正面）から見た図である。
【図３】本器具に複数のＵＳＢケーブルをパイプに掛けた状態を横から見た例である。図１のハンガー部２の首を９０度回してパイプに掛け、櫛状部１を掛けるパイプに対して平行（正面）に向けている。例では櫛状部１の同一の歯の間に３本のケーブルを掛けた状態を示す。
【図４】本器具に複数のコネクタ形状のＵＳＢケーブルを複数本（各３本ずつ）掛けた状態を正面から見た例である。ハンガー部２、櫛状部１の構造のバリエーションを示している。
【発明を実施するための形態】
【０００７】図１に本保持器具の構成を示す。
複数のコネクタ形状が混在するケーブルを整理して掛けるための保持器具であって、複数のコネクタの首部を引っ掛けて保持するための複数の歯を有する櫛状部１と、同保持器具をパイプや壁にぶら下げて保持するためのハンガー部２と、前記櫛状部１を斜め上向きに保持して前記ハンガー部２と接続するための台座部３とから成るケーブル保持器具である。櫛状部１と台座部３、またはハンガー部２と台座部３は成型上一体化することも可能である。
図１に示すように台座部３は櫛状部１を櫛の歯を斜め上向きに固定することができ、例えば櫛状部１を４５度上向きとし、櫛の歯はＵＳＢケーブル３本が保持できるように長さは２．５センチメートルとする。ハンガー部２は、フックであり、引っ掛ける壁やパイプの方向に合わせて水平面内で首を回転できるように構成することができる。また、ハンガー部２は壁などに本保持器具を掛けるためのもので、板状で固定のための穴を有し、ネジ、ピンによる固定など公知の方法でハンガー部２を固定することもできる。
ハンガー部２や台座部３にはＵＳＢタイプＡとＵＳＢタイプＣ変換コネクタ等の小物を置けるように台を具備しても良いし、変換コネクタ等の小物のはさみ込み機構やぶら下げフックを具備しても良い。
図２は本保持器具を正面から見た図であり、櫛状部１は複数の歯から構成されている。この歯は２ミリメートル以上、４ミリメートル以内の空隙で隔たり、ケーブルのコネクタ部を挟み込むことでケーブルが引っ掛かるように構成されている。図２では歯の先は矩形であるが、ケーブルを引っ掛けやすいように歯の先を細くしたり、丸みを持たせて刺しやすくし、安易にケーブルが外れないように歯の途中に突起や曲線を持たせることで一度刺さったケーブルを把持するように構成することができる。ケーブルの太さはＵＳＢでは直径２ミリメートルから４ミリメートルが代表的であるが、これ以外の規格のケーブルにも対応できるように歯の間隔を異ならせるように構成しても良い。
図３は本保持器具にＵＳＢケーブルを３本同一の歯の間に保持している状態の例を示している。図３のようにケーブルのコネクタ部分の首を歯に引っ掛けることで１つの歯間に例では同じ種類のコネクタの３本のケーブルを収容することができる。
図４は本保持器具同じ種類のコネクタのＵＳＢケーブル３本を３種類のコネクタ分の計９本保持した状態を示す図である。図４の右側の中３つの歯のように、容易にケーブルが刺さるように歯の太さを先端と根元で異ならせたり、一度刺さったケーブルが容易に外れないように歯の途中に突起や曲線を持たせることでケーブルを把持するように構成することができる。
ハンガー部２は図３のようにフック（衣装用のハンガーで使用されるような）でもよいし、図４のように板状で穴が開いているハンガーでもよい。
【産業上の利用可能性】
【０００８】本発明は、ＵＳＢケーブルなど複数のコネクタ形状が存在するケーブルを整理して棚や壁等に保管することができる保持器具に関するもので、複数のコネクタの首部を引っ掛けるため斜め上向きに保持された複数の歯を有する櫛状部を有し、ハンガーにより壁や棚等に掛けることで利便性の向上を図ることができる。
【符号の説明】１  櫛状部
２  ハンガー部
３  台座部
【図１】
2020150782.tif 000003
【図２】
2020150782.tif 000004
【図３】
2020150782.tif 000005
【図４】
2020150782.tif 000006
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
複数のケーブルを整理して掛けるための保持器具であって、複数のコネクタの首部を引っ掛けて保持するための複数の歯を有する櫛状部１と、前記保持器具をパイプや壁に掛けて保持するためのハンガー部２と、櫛状部１を斜め上向きに保持して前記ハンガー部２と接続するための台座部３を有するケーブル保持器具。
【請求項２】
前記櫛状部１はＵＳＢケーブルのコネクタを引っ掛けるように構成され、それぞれの歯間の空隙は２ミリメートルから４ミリメートルである請求項１の保持器具。
【請求項３】
前記櫛状部１はＵＳＢケーブルのコネクタを引っ掛けるように構成され、櫛状の歯を４５度の斜め上向きとし、それぞれの２つの歯間の１つの空隙で複数本のケーブルを保持するように構成した請求項１の保持器具。
【請求項４】
前記櫛状部１はＵＳＢケーブルのコネクタを引っ掛けるように構成され、コネクタを把持するための突起と曲線で構成される歯を有する請求項１の保持器具。
【請求項５】
前記ハンガー部２はフックであり、フックの向きを変えられるように首を回転する機構を有する請求項１の保持器具。
【請求項６】
前記ハンガー部２は板状で壁にネジやピンで前記保持器具を固定するための穴を有する請求項１の保持器具。
【請求項７】
前記櫛状部１は異なるケーブル径のケーブルコネクタを引っ掛けるように構成され、それぞれの歯間の空隙は異なる距離で構成される請求項１の保持器具。